(57)【要約】      （修正有）【課題】ユーザがログインした回数インジケータなど、特定の情報を記憶しておかなくても、簡単に、かつ確実に不正利用をチェックすることができる端末を提供する。【解決手段】内蔵カメラまたは近傍に設置された外部カメラと連動する情報端末１であって、カメラ１０４が撮像するエリアは自端末を操作する者の一部または全てを含むエリアであり、自端末が備える機能のいずれかに係る１以上の特定操作を記憶する特定操作記憶部１１０と、特定操作のいずれかを検出する特定操作検出部１１１と、特定操作を検出した場合に自端末を操作する者の一部または全てを撮像するカメラ画像撮像部１１２と、撮像した画像を記憶する撮像画像記憶部と、撮像、または記憶した画像の両方またはいずれかを自端末が備える表示部に表示、所定の宛先へ転送、またはサーバへアップロードする手段と、を有する。【選択図】図１
2017021609.tif 000002
【特許請求の範囲】
【請求項１】
内蔵カメラまたは自端末の近傍に設置された外部カメラと連動する情報端末であって、
前記カメラが撮像するエリアは自端末を操作する者の一部または全てを含むエリアであり、自端末が備える機能のいずれかに係る１以上の特定操作を記憶する特定操作記憶手段と、前記特定操作のいずれかを検出する特定操作検出手段と、前記特定操作を検出した場合に自端末を操作する者の一部または全てを撮像する操作者撮像手段と、前記撮像した画像を記憶する撮像画像記憶手段と、前記撮像、または記憶した画像の両方またはいずれかを、自端末が備える表示部に表示する、または所定の宛先へ転送する、またはサーバへアップロードする手段と、を有することを特徴とする操作者撮像機能を有する情報端末。
【発明の詳細な説明】
【技術分野】
【０００１】
本発明は、内蔵カメラまたは自端末の近傍に設置された外部カメラと連動する情報端末に関し、特に撮像機能に係る。
【背景技術】
【０００２】
従来、所定のシステムの不正利用をチェックする方法として、正規のユーザが、ログインをした日時を記憶しておき、該日時以外の不正にログインした履歴がないかをチェックする方法がある。しかしこの方法は、ユーザが事前にログイン日時を全て記憶しておかなければならない。
【０００３】
これを解決する技術として、特許文献１には、ユーザが覚えやすいようにログインする毎に当該ログインした回数をカウントし、ログインした回数をインジケータで表示する技術が記載されている。これにより、ユーザはログインした回数インジケータのみを憶えておき、覚えていた回数インジケータ以外の場合に不正にログインされたことがわかる。
【０００４】
しかしながら、特許文献１の技術は、ログインした回数インジケータは確かに忘れにくいが、忘れないわけではない。例えば、ユーザが期間を開けてログインを行う場合や、複数のシステムで不正利用をチェックする場合には、ユーザが回数インジケータを忘れてしまったり、別のシステムにログインした回数インジケータと混同してしまったりすることがあり得る。
【先行技術文献】
【特許文献】
【０００５】
【特許文献１】特開２００６−３２３６１６号公報
【発明の概要】
【発明が解決しようとする課題】
【０００６】
本発明は、上記問題に鑑みてなされたものであり、その課題は、ユーザがログインした回数インジケータなど、特定の情報を記憶しておかなくても、簡単に、かつ確実に不正利用をチェックすることができる端末を提供することにある。
【課題を解決するための手段】
【０００７】
前記課題を解決するために、本発明は、内蔵カメラまたは自端末の近傍に設置された外部カメラと連動する情報端末であって、前記カメラが撮像するエリアは自端末を操作する者の一部または全てを含むエリアであり、自端末が備える機能のいずれかに係る１以上の特定操作を記憶する特定操作記憶手段と、前記特定操作のいずれかを検出する特定操作検出手段と、前記特定操作を検出した場合に自端末を操作する者の一部または全てを撮像する操作者撮像手段と、前記撮像した画像を記憶する撮像画像記憶手段と、前記撮像、または記憶した画像の両方またはいずれかを自端末が備える表示部に表示、または所定の宛先へ転送、またはサーバへアップロードする手段と、を有することを特徴とする。
【発明の効果】
【０００８】
本発明によれば、カメラを有する情報端末は、予め記憶した特定操作を検出した場合に自端末を操作する者を撮像し、記憶または所定の宛先へ転送またはサーバへアップロードする。これにより、ユーザは特定の情報を記憶しておかなくても、撮像した画像に本人が写っているか否かで、簡単に、かつ確実に不正利用をチェックすることができる。なお、不正使用者が撮像を避ける位置で操作した場合にも、画像には不正使用者が写っていないことになるが、本人も写っていないので、不正利用と判定することが可能である。
【図面の簡単な説明】
【０００９】
【図１】本発明の実施形態における情報端末の機能ブロック図である。
【図２】本発明の実施形態による情報端末の動作フローチャートである。
【発明を実施するための形態】
【００１０】
以下、本発明の実施形態について、図面を用いて説明する。
図１は、本発明の実施形態における情報端末の機能ブロック図である。
【００１１】
図１に示すように、本発明による情報端末１（以下、本装置１）は、携帯網等のネットワーク２に接続し、通信する情報端末である。
【００１２】
本装置１は、タッチパネル部１０１、端末制御部１０２、無線通信部１０３、カメラ１０４、特定操作記憶部１１０、特定操作検出部１１１、カメラ画像撮像部１１２、撮像画像記憶部１１３、不正利用チェック操作検出部１１４、撮像画像表示制御部１１５を有している。
【００１３】
タッチパネル部１０１は、ディスプレイとタッチセンサーを有する入出力装置であり、入力情報を端末制御部１０２、特定操作記憶部１１０、特定操作検出部１１１、及び不正利用チェック操作検出部１１４に通知する。なお、入力装置はマウスもしくはキーボードであっても良い。
【００１４】
端末制御部１０２は、タッチパネル部１０１から通知される入力情報により、無線通信部１０３、カメラ１０４を制御する。
【００１５】
無線通信部１０３は、無線ＬＡＮを介した無線通信の処理全般を行う。
【００１６】
カメラ１０４は、本装置１に内蔵され、本装置１の操作者にアングルが向けられたカメラである。なお、カメラは本装置１の操作者を撮像するためにアングル調整機能が付いているカメラ、または本装置１の近傍に設置された外部カメラであっても良い。
【００１７】
特定操作記憶部１１０には、予め製造工程で１以上の特定操作（例えば、ログインに係る操作等、）を指定して、記憶させておく。なお、特定操作の記憶方法としては、製造工程で行うのでなく、製品完成後、タッチパネル部１０１から、記憶しておきたい特定操作を記憶要求コマンド（このコマンドは、予め製造工程で指定しておく）を付加して入力することにより、指定された１以上の特定操作を特定操作記憶部１１０に記憶する方法であっても良い。
【００１８】
特定操作検出部１１１は、タッチパネル部１０１から通知される入力情報が、特定操作記憶部１１０に記憶された特定操作のいずれかと一致した場合は、カメラ画像撮像部１１２にカメラ画像撮像要求を渡す。
【００１９】
カメラ画像撮像部１１２は、特定操作検出部１１１からカメラ画像撮像要求を渡されると、カメラ１０４に撮像を指示し、撮像した画像を受け取り、該画像を撮像画像記憶部１１３、及び撮像画像表示制御部１１５に送信する。
【００２０】
撮像画像記憶部１１３は、カメラ画像撮像部１１２から送られてきた画像を記憶しておく記憶部である。
【００２１】
不正利用チェック操作検出部１１４は、タッチパネル部１０１から通知される入力情報が予め定められた撮像画像の表示要求、または撮像画像の表示終了要求の場合は、撮像画像表示制御部１１５に撮像画像表示要求、または撮像画像表示終了要求を行う。
【００２２】
撮像画像表示制御部１１５は、カメラ画像撮像部１１２から送信された画像をタッチパネル部１０１に表示する。また、撮像画像表示制御部１１５は、不正利用チェック操作検出部１１４から要求された撮像画像表示要求により撮像画像記憶部１１３に記憶された画像をタッチパネル部１０１に表示する。また、撮像画像表示制御部１１５は、不正利用チェック操作検出部１１４から要求された撮像画像表示終了要求により撮像画像記憶部１１３に記憶された画像のタッチパネル部１０１への表示を終了する。なお、タッチパネル部１０１に表示するとしているが、無線通信部１０３が撮像画像表示制御部１１５より、タッチパネル部１０１に表示する画像の転送を受けて、予め記憶している当該ユーザのメールアドレス（例えば、Ｗｅｂメール）の宛先へ、当該画像を添付ファイルとして転送、またはＨＴＴＰ通信を使って所定のサーバにアップロードするようにしても良い。
【００２３】
図２は、本発明の実施形態による情報端末の動作フローチャートである。
以下、本装置１の動作フローチャートについて説明する。本フローチャートは、電源が投入され、タッチパネル部１０１の受付が可能な状態でスタートする（Ｓ２００）。
【００２４】
なお、本フローチャートは、製造工程でログイン操作を特定操作として記憶させていることを前提としている。
【００２５】
本装置１は、電源が投入されると、特定操作の受付を監視し（Ｓ２０１）、または、特定操作以外の操作（タッチパネル部１０１で入力される操作コマンドの内、特定操作として指定を受けたもの以外の操作を言う）の受付を監視し（Ｓ２０４）、いずれかの監視状態において受付ＹＥＳとなるのを待つ。
【００２６】
特定操作（ここでは、ログイン操作が該当する）を受付けると（Ｓ２０１、ＹＥＳ）、本装置１は、カメラで撮像し、撮像した日時情報と共に撮像した画像（静止画または動画）を記録し（Ｓ２０２）、ログイン認証を行い（Ｓ２０３）、ログイン成功か失敗かの判定を行う（Ｓ２０６）。
【００２７】
なお、ここで、特定操作はログイン操作以外にも、特定ファイルや特定フォルダへのアクセスを検出した場合や予めログイン認証が必要なネットワークへのアクセスを検出した場合であっても良い。
【００２８】
なお、撮像した画像を日時と共に記録しているが、撮像した画像は日時と共に所定の宛先へメール転送もしくはＨＴＴＰ通信によってネットワーク２上の図示しない特定のサーバにアップロードするようにしても良い。ここでメール転送、サーバへのアップロードの処理は、カメラ画像撮像部１１２及び撮像画像表示制御部１１５が無線通信部１０３と連携して行うが、詳細説明は省略する。
【００２９】
特定操作以外の操作を受付けた場合（Ｓ２０４、ＹＥＳ）、本装置１は、操作に応じた処理を実行し（Ｓ２０５）、ステップ２０１へ戻る。
【００３０】
次にステップ２０６においてログインに成功した場合（Ｓ２０６、ＹＥＳ）、本装置１は、不正利用チェック開始操作の受付を監視し（Ｓ２１０）、不正利用チェック開始操作及びログアウト操作以外の操作の受付を監視し（Ｓ２１６）、または、ログアウト操作の受付を監視し（Ｓ２１８）、いずれかの監視状態において、受付ＹＥＳとなるのを待つ。
【００３１】
ログインに失敗した場合（Ｓ２０６、ＮＯ）、本装置１は、ログイン失敗を表示し、ステップ２０２で記録した情報に追加的にログイン失敗情報を記録し（Ｓ２０７）、ステップ２０１へ戻る。
【００３２】
なお、追加的にログイン失敗情報を記録するとしているが、ログイン失敗情報を所定の宛先へメール転送もしくはＨＴＴＰ通信によってネットワーク２上の図示しない特定のサーバへのアップロードするようにしても良い。ここでも、メール転送、特定のサーバへのアップロードの処理の詳細説明は、省略する。
【００３３】
不正利用チェック開始操作を受付けた場合（Ｓ２１０、ＹＥＳ）、本装置１は、Ｓ２０２で記録した撮像画像を、Ｓ２０７で記録したログイン失敗情報があるときはログイン失敗情報と共に、日時順に所定の枚数表示する（Ｓ２１１）。そして、本装置１は、表示画像切替操作の受付を監視し（Ｓ２１２）、または、不正利用チェック終了操作の受付を監視し（Ｓ２１４）、いずれかの監視状態において受付ＹＥＳとなるのを待つ。
【００３４】
なお、Ｓ２０２で記録した撮像画像を、所定の枚数表示するとしているが、表示する枚数は１枚又は複数枚のいずれであっても良い。
【００３５】
不正利用チェック開始操作とログアウト操作の２つの操作以外の操作を受付けた場合（Ｓ２１６、ＹＥＳ）、本装置１は、操作に応じた処理を実行し（Ｓ２１７）、ステップ２１８へ進む。
【００３６】
表示画像切替操作を受付けた場合（Ｓ２１２、ＹＥＳ）、本装置１は、次順への切替操作の場合は次順の撮像画像を、前順への切替操作の場合は前順の撮像画像を、所定の枚数表示し（Ｓ２１３）、ステップ２１４へ進む。
【００３７】
不正利用チェック終了操作を受付けた場合（Ｓ２１４、ＹＥＳ）、本装置１は、撮像画像の表示を終了し（Ｓ２１５）、ステップ２１８へ進む。
【００３８】
ログアウト操作を受付けた場合（Ｓ２１８、ＹＥＳ）、本装置１は、ログアウト処理を行い（Ｓ２１９）、ステップ２０１へ戻る。
【００３９】
以上、本発明の実施形態について、説明した。
【００４０】
本発明の実施形態では、本装置１は、予め記憶した特定操作を検出した場合に自端末を操作する者を撮像し、記憶または所定の宛先へ転送またはサーバへアップロードする。これにより、ユーザは特定の情報を記憶しておかなくても、撮像した画像に本人が写っているか否かで、簡単に、かつ確実に不正利用をチェックすることができる。なお、不正使用者が撮像を避ける位置で操作した場合にも、画像には不正使用者が写っていないことになるが、本人も写っていないので、不正利用と判定することが可能である。
【００４１】
また、本発明の実施形態では、本装置１は、図２のステップ２０７においてログイン失敗した場合に、事前に撮像・記録された画像にログイン失敗情報を追加し、該画像が表示された際に、追加したログイン失敗情報を表示する。これにより、ユーザは不正利用された場合にログイン失敗情報が非表示なのか表示しているのかによって、不正利用した者がログインに成功したか否かを判別できる。
【符号の説明】
【００４２】
１：カメラを有する情報端末
１０１：タッチパネル部
１０２：端末制御部
１０３：無線通信部
１０４：カメラ
１１０：特定操作記憶部
１１１：特定操作検出部
１１２：カメラ画像撮像部
１１３：撮像画像記憶部
１１４：不正利用チェック操作検出部
１１５：撮像画像表示制御部
２：ネットワーク
【図１】
2017021609.tif 000003
【図２】
2017021609.tif 000004